【事件の表示】
　特許第３４３５０２２号「携帯電話機」の請求項１ないし８に係る特許に対する特許異議の申立てについて、次のとおり決定する。
【結　論】
　訂正を認める。
　特許第３４３５０２２号の請求項１ないし７に係る特許を維持する。
【理　由】
第１．手続の経緯
　特許第３４３５０２２号の請求項１ないし８に係る発明は、平成９年６月１７日に特許出願され、平成１５年５月３０日にその発明について特許権の設定登録がなされ、その後、その特許について、異議申立人　株式会社アイピックより特許特許異議の申立てがなされ、平成１６年４月１３日付で取消理由が通知され、その指定期間内である平成１６年６月２２日付けで訂正請求（以下、「本件訂正請求」という。）がなされたものである。
　
第２．訂正の適否について
　１．訂正内容
　（１）訂正事項ａ
　特許請求の範囲の請求項１の記載を、
「【請求項１】ケースの内部に電話機本体組立体が組み込まれており、該電話機本体組立体が、電子部品が実装されているプリント基板と該電子部品を覆って該プリント基板に取り付けてあるシールドケースとよりなる構成の携帯電話機において、
　帯状の片が所定の形状に曲げられてなる複数のシールドばねが上記プリント基板上に上記電子部品が実装されている領域を取り囲むように分散して固定してあり、上記シールドケースが各シールドばねと接触している構成であり、
　上記シールドばねは、
　中央に位置しており自動実装装置の吸着ノズルによって吸着される中央平面部と、
　該中央平面部と続いて該中央平面部の両側に
逆Ｕ字形状の
逆Ｕ字形状
　各
逆Ｕ字形状
　各横向きＵ字形状のばね部は、上記
逆Ｕ字形状
逆Ｕ字形状
　
上記中央平面部及び上記水平腕部の幅方向の端縁に対して切り欠かれた切り欠部を設け、各逆Ｕ字形状山形部の幅が、上記中央平面部及び水平腕部の幅寸法より狭い構成とし、
　上記プリント基板は、各シールドばね毎に２つのランドを有する構成であり、
　上記シールドばねは、各
逆Ｕ字形状
（２）訂正事項ｂ
　特許請求の範囲の請求項２の記載を、
「【請求項２】　上記シールドばねは、その
逆Ｕ字形状
逆Ｕ字形状
（３）訂正事項ｃ
　特許請求の範囲の請求項３の記載を、
「【請求項３】　上記シールドばねは、上記横向きＵ字形状のばね部の水平腕部のうち該
逆Ｕ字形状
（４）訂正事項ｄ
　特許請求の範囲の請求項４を削除する。
（５）訂正事項ｅ
　特許請求の範囲の請求項５を請求項４に繰り上げ、請求項を【請求項
４
（６）訂正事項ｆ
　特許請求の範囲の請求項６を請求項５に繰り上げ、請求項５の記載を、
「【請求項
５
　帯状の片が所定の形状に曲げられてなる複数のシールドばねが上記プリント基板上に上記電子部品が実装されている領域を取り囲むように分散して固定してあり、上記シールドケースが各シールドばねと接触している構成であり、
　上記シールドばねは、
　平面部と、
　該平面部と続いて該平面部の一側に
逆Ｕ字形状の山形に
逆Ｕ字形状
　該平面部と続いて該平面部の他側に形成してある立ち上げ部と、
　
逆Ｕ字形状
　該横向きＵ字形状のばね部は、上記
逆Ｕ字形状
逆Ｕ字形状
　
上記平面部及び上記水平腕部の幅方向の端縁に対して切り欠かれた切り欠部を設け、各逆Ｕ字形状山形部の幅が、上記平面部及び水平腕部の幅寸法より狭い構成とし、
　上記プリント基板は、各シールドばね毎に２つのランドを有する構成であり、
　上記シールドばねは、
逆Ｕ字形状
（７）訂正事項ｇ
　特許請求の範囲の請求項７を請求項６に繰り上げ、請求項６の記載を、
「【請求項
６
　該中央平面部と続いて該中央平面部の両側に
逆Ｕ字形状の
逆Ｕ字形状
　各
逆Ｕ字形状
　各横向きＵ字形状のばね部は、上記
逆Ｕ字形状
逆Ｕ字形状
り、
　
上記中央平面部及び上記水平腕部の幅方向の端縁に対して切り欠かれた切り欠部を設け、各逆Ｕ字形状山形部の幅が、上記中央平面部及び水平腕部の幅寸法より狭い構成と
（８）訂正事項ｈ
　特許請求の範囲の請求項８を請求項７に繰り上げ、請求項７の記載を、
「【請求項
７
　該平面部と続いて該平面部の一側に
逆Ｕ字形状の山形に形成してある逆Ｕ字形状
　該平面部と続いて該平面部の他側に形成してある立ち上げ部と、
　
逆Ｕ字形状
　該横向きＵ字形状のばね部は、上記
逆Ｕ字形状
逆Ｕ字形状
り、
　
上記平面部及び上記水平腕部の幅方向の端縁に対して切り欠かれた切り欠部を設け、各逆Ｕ字形状山形部の幅が、上記平面部及び水平腕部の幅寸法より狭い構成と
（９）訂正事項ｉ
　発明の詳細な説明の段落番号【０００６】の記載を、
「【課題を解決するための手段】　　
　請求項１の発明は、ケースの内部に電話機本体組立体が組み込まれており、該電話機本体組立体が、電子部品が実装されているプリント基板と該電子部品を覆って該プリント基板に取り付けてあるシールドケースとよりなる構成の携帯電話機において、帯状の片が所定の形状に曲げられてなる複数のシールドばねが上記プリント基板上に上記電子部品が実装されている領域を取り囲むように分散して固定してあり、上記シールドケースが各シールドばねと接触している構成であり、上記シールドばねは、中央に位置しており自動実装装置の吸着ノズルによって吸着される中央平面部と、該中央平面部と続いて該中央平面部の両側に
逆Ｕ字形状の
逆Ｕ字形状
逆Ｕ字形状
逆Ｕ字形状
逆Ｕ字形状
上記中央平面部及び上記水平腕部の幅方向の端縁に対して切り欠かれた切り欠部を設け、各逆Ｕ字形状山形部の幅が、上記中央平面部及び水平腕部の幅寸法より狭い構成とし、
逆Ｕ字形状
（１０）訂正事項ｊ
　発明の詳細な説明の段落番号【０００８】の記載を、
　「請求項２の発明は、請求項１において、
上記シールドばねは、
逆Ｕ字形状
が
逆Ｕ字形状
上記シールドばねは、上記
逆Ｕ字形状
（１１）訂正事項ｋ
　発明の詳細な説明の段落番号【０００９】の記載を、
「請求項４の発明は、請求項１において、シールドばねは、
自動実装装置のＸチャックが当たる個所とＹチャックが当たる個所とを有する構成としたものである。
ケースの内部に電話機本体組立体が組み込まれており、該電話機本体組立体が、電子部品が実装されているプリント基板と該電子部品を覆って該プリント基板に取り付けてあるシールドケースとよりなる構成の携帯電話機において、帯状の片が所定の形状に曲げられてなる複数のシールドばねが上記プリント基板上に上記電子部品が実装されている領域を取り囲むように分散して固定してあり、上記シールドケースが各シールドばねと接触している構成であり、上記シールドばねは、平面部と、該平面部と続いて該平面部の一側に逆Ｕ字形状の山形に形成してある逆Ｕ字形状山形部と、該平面部と続いて該平面部の他側に形成してある立ち上げ部と、逆Ｕ字形状山形部の外側の端に続く一つの横向きＵ字形状のばね部とよりなり、該横向きＵ字形状のばね部は、上記逆Ｕ字形状山形部の外側の下端部から外側に延在する水平腕部と、該水平腕部より上方に折り返されるように屈曲している半円弧部と、該半円弧部の端より上記シールドばねの中央側に折り返されて斜めに延在して上記逆Ｕ字形状山形部の上方に位置しており先端が自由端である接触片部とよりなる構成であり、上記平面部及び上記水平腕部の幅方向の端縁に対して切り欠かれた切り欠部を設け、各逆Ｕ字形状山形部の幅が、上記平面部及び水平腕部の幅寸法より狭い構成とし、上記プリント基板は、各シールドばね毎に２つのランドを有する構成であり、上記シールドばねは、逆Ｕ字形状山形部の外側から横向きＵ字形状のばね部の水平腕部にかけての部位を一のランドに半田付けされ、立ち上げ部から平面部からにかけての部位を別のランドに半田付けされて固定してある構成
（１２）訂正事項ｌ
　発明の詳細な説明の段落番号【００１０】の記載を、
「請求項６の発明は、
中央に位置しており自動実装装置の吸着ノズルによって吸着される中央平面部と、該中央平面部と続いて該中央平面部の両側に逆Ｕ字形状の山形に形成してある２つの逆Ｕ字形状山形部と、各逆Ｕ字形状山形部の外側の端に続く２つの横向きＵ字形状のばね部とよりなり、各横向きＵ字形状のばね部は、上記逆Ｕ字形状山形部の外側の下端部から外側に延在する水平腕部と、該水平腕部より上方に折り返されるように屈曲している半円弧部と、該半円弧部の端より上記シールドばねの中央側に折り返されて斜めに延在して上記逆Ｕ字形状山形部の上方に位置しており先端が自由端である接触片部とよりなり、上記中央平面部及び上記水平腕部の幅方向の端縁に対して切り欠かれた切り欠部を設け、各逆Ｕ字形状山形部の幅が、上記中央平面部及び水平腕部の幅寸法より狭い構成
（１３）訂正事項ｍ
　発明の詳細な説明の段落番号【００１１】の記載を、
「請求項７の発明は、平面部と、該平面部と続いて該平面部の一側に
逆Ｕ字形状の山形に形成してある逆Ｕ字形状
逆Ｕ字形状
逆Ｕ字形状
逆Ｕ字形状
り、上記平面部及び上記水平腕部の幅方向の端縁に対して切り欠かれた切り欠部を設け、各逆Ｕ字形状山形部の幅が、上記平面部及び水平腕部の幅寸法より狭い構成
（１４）訂正事項ｎ
　発明の詳細な説明の段落番号【００１２】の記載を削除する。
（１５）訂正事項ｏ
　発明の詳細な説明の段落番号【００３８】の記載を、
「【発明の効果】
　以上説明したように、請求項１の発明によれば、帯状の片が所定の形状に曲げられてなる複数のシールドばねがプリント基板上に上記電子部品が実装されている領域を取り囲むように分散して固定してあり、シールドケースが電子部品を覆って各シールドばねと接触している構成であり、シールドばねは、中央に、自動実装装置の吸着ノズルによって吸着される中央平面部を有し、横向きＵ字形状のばね部を有する形状であるため、シールドばねをバランス良く吸着出来て自動実装装置によって安定に実装出来、よって、シールドばねの取付けに要する工数を、手作業で組み立ていた従来に比べて格段に少なく出来、また、プリント基板の形状が異なっても同じシールドばねを使用可能であり、よって、複数の機種の携帯電話機を製造している製造メーカでも、一種類のシールドばねを用意するだけで済み、シールドばねを成形する金型も一つで済み、携帯電話機の製造コストを従来のものに比べて安価に出来る。また、シールドばねは、中央平面部の両側の
逆Ｕ字形状
（１６）訂正事項ｐ
　発明の詳細な説明の段落番号【００４０】の記載を、
「請求項２の発明によれば、
逆Ｕ字形状
逆Ｕ字形状
（１７）訂正事項ｑ
　発明の詳細な説明の段落番号【００４１】の記載を、
「請求項３の発明によれば、横向きＵ字形状のばね部の水平腕部のうち
逆Ｕ字形状
逆Ｕ字形状
１
逆Ｕ字形状
（１８）訂正事項ｒ
　発明の詳細な説明の段落番号【００４２】の記載を、
「【００４２】請求項
４
５
（１９）訂正事項ｓ
　発明の詳細な説明の段落番号【００４３】の記載を
「請求項
６
逆Ｕ字形状の
逆Ｕ字形状
逆Ｕ字形状
逆Ｕ字形状
逆Ｕ字形状
（２０）訂正事項ｔ
　発明の詳細な説明の段落番号【００４４】の記載を、
「請求項
７
逆Ｕ字形状
逆Ｕ字形状
逆Ｕ字形状
逆Ｕ字形状
（なお、アンダーラインは訂正請求された箇所を示す。）
　
　２．訂正の目的の適否、新規事項の有無及び拡張・変更の存否
（１）訂正事項ａ、ｂ、ｃ、ｆないしｈの「逆Ｕ字形状山形部」、「逆Ｕ字形状の山形部」、及び「逆Ｕ字形状の山形に形成してある逆Ｕ字形状山形部」に訂正することは、願書に最初に添付された明細書（以下、「当初明細書」という。）に「【００１７】シールドばね３５は、Ｙ軸を中心に左右対称の形状、及び、Ｘ軸を中心に左右対称の形状を有する。シールドばね３５は、・・・中央平面部３５ａと、中央平面部３５ａに続いてこのＸ１及びＸ２側に夫々１つづつ存在する２つの逆Ｕ字形状山形部３５ｂ，３５ｃと、各逆Ｕ字形状山形部３５ｂ，３５ｃの外側の端に続く横向きＵ字形状のばね部３５ｄ，３５ｅとよりなる。」等の記載があり、上記「逆Ｕ字形状山形部」、「逆Ｕ字形状の山形部」、及び「逆Ｕ字形状の山形に形成してある逆Ｕ字形状山形部」の事項は、願書に最初に添付された明細書又は図面（以下、「当初明細書等」という。）に記載されているものと認められ、また、これらの事項は「シールドばね」の「山形部」の構成を限定するものであるから、当初明細書等に記載された事項の範囲内において、特許請求の範囲の減縮を目的とするものであって、新規事項の追加に該当せず、実質上特許請求の範囲を拡張し、変更するものではない。
（２）訂正事項ａ、ｇの「上記中央平面部及び上記水平腕部の幅方向の端縁に対して切り欠かれた切り欠部を設け、各逆Ｕ字形状山形部の幅が、上記中央平面部及び水平腕部の幅寸法より狭い構成とし」に訂正することは、当初明細書に「【００２１】各逆Ｕ字形状山形部３５ｂ，３５ｃは、他の部分より狭い幅ｗ２を有する。即ち、各逆Ｕ字形状山形部３５ｂ，３５ｃの部分は、そのＹ１，Ｙ２方向側に、中央平面部３５ａ及び水平腕部３５ｄ１，３５ｅ１のＹ１，Ｙ２方向の端縁に対して切り欠かれた切欠部３５ｆ，３５ｇ，３５ｈ，３５ｉを有する。」の記載があることから、「上記中央平面部及び上記水平腕部の幅方向の端縁に対して切り欠かれた切り欠部を設け、各逆Ｕ字形状山形部の幅が、上記中央平面部及び水平腕部の幅寸法より狭い構成とし」の事項は当初明細書等に記載されているものと認められ、この事項は「シールドばね」の「山形部」の構成を限定するものであるから、当初明細書等に記載された事項の範囲内において、特許請求の範囲の減縮を目的とするものであって、新規事項の追加に該当せず、実質上特許請求の範囲を拡張し、変更するものではない。
（３）訂正事項ｆ、ｈの「上記平面部及び上記水平腕部の幅方向の端縁に対して切り欠かれた切り欠部を設け、各逆Ｕ字形状山形部の幅が、上記平面部及び水平腕部の幅寸法より狭い構成とし」に訂正することは、当初明細書に「【００３５】シールドばね３５Ａは、図４に示すシールドばね３５のうち中央平面部３５ａとＸ１側の逆Ｕ字形状山形部３５ｂとの間で切断して、逆Ｕ字形状山形部３５ｂと横向きＵ字形状のばね部３５ｄとを除去した構成であり、平面部３５Ａａと、平面部３５Ａａと続いて平面部３５Ａａの一側に形成してある逆Ｕ字形状山形部３５Ａｃと、平面部３５Ａａと続いて平面部３５Ａａの他側に形成してある立ち上げ部３５Ａｎと、山形部３５Ａｃの外側の端に続く一つの横向きＵ字形状のばね部３５Ａｅとよりなる。横向きＵ字形状のばね部３５Ａｅは、山形部３５Ａｃの外側の下端部から外側に延在する水平腕部３５Ａｅ１と、水平腕部３５Ａｅ１より上方に折り返されるように屈曲している半円弧部３５Ａｅ２と、半円弧部３５Ａｅ２の端よりシールドばねの中央側に折り返されて斜めに延在して上記山形部３５Ａｃの上方に位置しており先端が自由端である接触片部３５Ａｅ３とよりなる構成である。」、「【００２１】各逆Ｕ字形状山形部３５ｂ，３５ｃは、他の部分より狭い幅ｗ２を有する。即ち、各逆Ｕ字形状山形部３５ｂ，３５ｃの部分は、そのＹ１，Ｙ２方向側に、中央平面部３５ａ及び水平腕部３５ｄ１，３５ｅ１のＹ１，Ｙ２方向の端縁に対して切り欠かれた切欠部３５ｆ，３５ｇ，３５ｈ，３５ｉを有する。」の記載があることから、「上記平面部及び上記水平腕部の幅方向の端縁に対して切り欠かれた切り欠部を設け、各逆Ｕ字形状山形部の幅が、上記平面部及び水平腕部の幅寸法より狭い構成とし」の事項は当初明細書等に記載されているものと認められ、この事項は「シールドばね」の「山形部」の構成を限定するものであるから、当初明細書等に記載された事項の範囲内において、特許請求の範囲の減縮を目的とするものに該当し、新規事項の追加に該当せず、実質上特許請求の範囲を拡張し、変更するものではない。
（４）訂正事項ｄは特許請求の範囲の請求項４を削除する訂正を求めるものであるから、新規事項の追加に該当せず、実質上特許請求の範囲を拡張し、変更するものではない。
（５）訂正事項ｅないしｈの請求項数を訂正することは、特許請求の範囲の請求項４を削除する訂正に伴い請求項数を繰り上げるものであるから、明りょうでない記載の釈明を目的とした明細書の訂正に該当し、新規事項の追加に該当せず、実質上特許請求の範囲を拡張し、又は変更するものではない。
（６）訂正事項ｉないしｔは、当初明細書等に記載された事項の範囲内において、特許請求の範囲の訂正に整合させて発明の詳細な説明の記載の訂正を求めるものであるから、明りょうでない記載の釈明を目的とするものであって、新規事項の追加に該当せず、実質上特許請求の範囲を拡張し、変更するものではない。
　
　３．むすび
　以上のとおり、本件訂正請求は、特許法１２０条の４第２項、及び同条第３項において準用する同法特許法第１２６条第２項及び３項の規定にも適合するので、当該訂正を認める。
　
第３．特許異議申立てについて
　１．特許異議申立て理由の概要
　特許異議申立人株式会社アイピックは、特許第３４３５０２２号の請求項１ないし８に係る発明の特許は特開平９−４５３９６号公報（甲第１号証）及び特開平９−１１５５７４号公報（甲第２号証）に基づいて、その発明の属する技術の分野における通常の知識を有する者が容易に発明をすることができたものであるから、特許法第２９条第２項の規定により特許を受けることができないものであり、特許法第１１３条第２号の規定により取り消すべきものである旨主張する。
　
　２．本件特許発明
　上記第２．で示したように本件訂正請求は認められるから、本件特許の請求項１ないし７に係る発明（以下、それぞれ「本件特許発明１」、「本件特許発明２」・・・「本件特許発明７」という。）は　、平成１６年６月２２日付けの訂正請求により訂正された特許請求の範囲に記載された次の事項により特定されるものである。
「【請求項１】ケースの内部に電話機本体組立体が組み込まれており、該電話機本体組立体が、電子部品が実装されているプリント基板と該電子部品を覆って該プリント基板に取り付けてあるシールドケースとよりなる構成の携帯電話機において、
　帯状の片が所定の形状に曲げられてなる複数のシールドばねが上記プリント基板上に上記電子部品が実装されている領域を取り囲むように分散して固定してあり、上記シールドケースが各シールドばねと接触している構成であり、
　上記シールドばねは、
　中央に位置しており自動実装装置の吸着ノズルによって吸着される中央平面部と、
　該中央平面部と続いて該中央平面部の両側に逆Ｕ字形状の山形に形成してある２つの逆Ｕ字形状山形部と、
　各逆Ｕ字形状山形部の外側の端に続く２つの横向きＵ字形状のばね部とよりなり、
　各横向きＵ字形状のばね部は、上記逆Ｕ字形状山形部の外側の下端部から外側に延在する水平腕部と、該水平腕部より上方に折り返されるように屈曲している半円弧部と、該半円弧部の端より上記シールドばねの中央側に折り返されて斜めに延在して上記逆Ｕ字形状山形部の上方に位置しており先端が自由端である接触片部とよりなる構成であり、
　上記中央平面部及び上記水平腕部の幅方向の端縁に対して切り欠かれた切り欠部を設け、各逆Ｕ字形状山形部の幅が、上記中央平面部及び水平腕部の幅寸法より狭い構成とし、
　上記プリント基板は、各シールドばね毎に２つのランドを有する構成であり、
　上記シールドばねは、各逆Ｕ字形状山形部の外側の部分から各Ｕ字形状のばね部の水平腕部にかけての部位を各ランドに半田フィレットによって半田付けされて固定してある構成としたことを特徴とする携帯電話機。
　【請求項２】　上記シールドばねは、その逆Ｕ字形状山形部の高さが、上記接触片部が該逆Ｕ字形状山形部の頂部に当たるまで押し下げられて上記横向きＵ字形状のばね部が撓んだ状態において、上記横向きＵ字形状のばね部に生ずる曲げ応力が許容応力を越えないように定めてある構成としたことを特徴とする請求項１記載の携帯電話機。
上記訂正に係る訂正明細書の特許請求の範囲の請求項１に記載された事項により特定され
　【請求項３】　上記シールドばねは、上記横向きＵ字形状のばね部の水平腕部のうち該逆Ｕ字形状山形部寄りの部分だけが上記ランドに半田付けされた構成としたことを特徴とする請求項１記載の携帯電話機。
　【請求項４】　上記シールドばねは、
　自動実装装置のＸチャックが当たる個所とＹチャックが当たる個所とを有する構成としたことを特徴とする請求項１記載の携帯電話機。
　【請求項５】　ケースの内部に電話機本体組立体が組み込まれており、該電話機本体組立体が、電子部品が実装されているプリント基板と該電子部品を覆って該プリント基板に取り付けてあるシールドケースとよりなる構成の携帯電話機において、
　帯状の片が所定の形状に曲げられてなる複数のシールドばねが上記プリント基板上に上記電子部品が実装されている領域を取り囲むように分散して固定してあり、上記シールドケースが各シールドばねと接触している構成であり、
　上記シールドばねは、
　平面部と、
　該平面部と続いて該平面部の一側に逆Ｕ字形状の山形に形成してある逆Ｕ字形状山形部と、
　該平面部と続いて該平面部の他側に形成してある立ち上げ部と、
　逆Ｕ字形状山形部の外側の端に続く一つの横向きＵ字形状のばね部とよりなり、
　該横向きＵ字形状のばね部は、上記逆Ｕ字形状山形部の外側の下端部から外側に延在する水平腕部と、該水平腕部より上方に折り返されるように屈曲している半円弧部と、該半円弧部の端より上記シールドばねの中央側に折り返されて斜めに延在して上記逆Ｕ字形状山形部の上方に位置しており先端が自由端である接触片部とよりなる構成であり、
　上記平面部及び上記水平腕部の幅方向の端縁に対して切り欠かれた切り欠部を設け、各逆Ｕ字形状山形部の幅が、上記平面部及び水平腕部の幅寸法より狭い構成とし、
　上記プリント基板は、各シールドばね毎に２つのランドを有する構成であり、
　上記シールドばねは、逆Ｕ字形状山形部の外側から横向きＵ字形状のばね部の水平腕部にかけての部位を一のランドに半田付けされ、立ち上げ部から平面部からにかけての部位を別のランドに半田付けされて固定してある構成としたことを特徴とする携帯電話機。
　【請求項６】　中央に位置しており自動実装装置の吸着ノズルによって吸着される中央平面部と、
　該中央平面部と続いて該中央平面部の両側に逆Ｕ字形状の山形に形成してある２つの逆Ｕ字形状山形部と、
　各逆Ｕ字形状山形部の外側の端に続く２つの横向きＵ字形状のばね部とよりなり、
　各横向きＵ字形状のばね部は、上記逆Ｕ字形状山形部の外側の下端部から外側に延在する水平腕部と、該水平腕部より上方に折り返されるように屈曲している半円弧部と、該半円弧部の端より上記シールドばねの中央側に折り返されて斜めに延在して上記逆Ｕ字形状山形部の上方に位置しており先端が自由端である接触片部とよりなり、
　上記中央平面部及び上記水平腕部の幅方向の端縁に対して切り欠かれた切り欠部を設け、各逆Ｕ字形状山形部の幅が、上記中央平面部及び水平腕部の幅寸法より狭い構成としたことを特徴とする携帯電話機用シールドばね。
　【請求項７】　平面部と、
　該平面部と続いて該平面部の一側に逆Ｕ字形状の山形に形成してある逆Ｕ字形状山形部と、
　該平面部と続いて該平面部の他側に形成してある立ち上げ部と、
　逆Ｕ字形状山形部の外側の端に続く一つの横向きＵ字形状のばね部とよりなり、
　該横向きＵ字形状のばね部は、上記逆Ｕ字形状山形部の外側の下端部から外側に延在する水平腕部と、該水平腕部より上方に折り返されるように屈曲している半円弧部と、該半円弧部の端より上記シールドばねの中央側に折り返されて斜めに延在して上記逆Ｕ字形状山形部の上方に位置しており先端が自由端である接触片部とよりなり、
　上記平面部及び上記水平腕部の幅方向の端縁に対して切り欠かれた切り欠部を設け、各逆Ｕ字形状山形部の幅が、上記平面部及び水平腕部の幅寸法より狭い構成としたことを特徴とする携帯電話機用シールドばね。」
　　　
３．引用刊行物に記載された発明
（１）当審が平成１６年４月１３日付けで通知した取消理由に引用した特開平９−４５３９６号公報（以下、「引用刊行物１」という。）には、以下の発明が開示されているものと認められる。
　Ａ）「ケースの内部に電話機本体組立体が組み込まれており、該電話機本体組立体が、高周波発信回路部１７が実装されているプリント回路基板１５と該プリント回路基板１５を覆って該プリント回路基板１５に取り付けてあるシールドケースとよりなる構成の携帯電話機において、
　帯状の片が所定の形状に曲げられてなる複数の電磁シールド用接続端子１が上記プリント回路基板１５上に上記高周波発信回路部１７が実装されている領域を取り囲むように分散して固定してあり、上記シールドケースのシールド壁１３が各電磁シールド用接続端子１と接触している構成であり、
　上記電磁シールド用接続端子１は、
　中央に位置しており自動実装装置の吸着ノズルによって吸着される吸着面６と、
　該吸着面６と続いて該吸着面６の両側に山形に形成してある２つの山形部と、
　各山形部の外側の端に続く２つの略コ字形状のばね部２、３とよりなり、
　各略コ字形状のばね部は、上記山形部から外側に延在するベース２と、該ベース２から上方へ略９０度折り曲げられた部分と、
　該略９０度折り曲げられた部分の端より上記電磁シールド用接続端子１の中央側に折り返されて斜めに延在して上記山形部の上方に位置しており先端が自由端であるコンタクトアーム３とよりなり、
　上記電磁シールド用接続端子１は、ベース２の半田付け面７において半田付けされて固定する構成とした携帯電話機。」の発明。（以下、「引用発明１Ａ」という。）
　Ｂ）「中央に位置しており自動実装装置の吸着ノズルによって吸着される吸着面６と、
　該吸着面６と続いて該吸着面６の両側に山形に形成してある２つの山形部と、
　各山形部の外側の端に続く２つの略コ字形状のばね部とよりなり、
　各略コ字形状のばね部は、上記山形部の外側の下端部から外側に延在する水平腕部と、該ベース２から上方へ略９０度折り曲げられた部分と、
　該略９０度折り曲げられた部分の端より上記電磁シールド用接続端子１の中央側に折り返されて斜めに延在して上記山形部の上方に位置しており先端が自由端であるコンタクトアーム３とよりな携帯電話機用シールドばね。」の発明。（以下、「引用発明１Ｂ」という。）
　
（２）同じく当審が平成１６年４月１３日付けで通知した取消理由に引用した特開平９−１１５５７４号公報（以下、「引用刊行物２」という。）には、以下の発明及び技術が開示されているものと認められる。
　Ｃ）「接続部４と、
　該接続部４と続いて該接続部４の一側に形成してある第１の立ち上げ部７と
　該接続部４と続いて該接続部４の他側に形成してある第２の立ち上げ部６と、
　第１の立ち上げ部７の外側の端に続く一つの横向きＵ字形状のばね部とよりなり、
　該横向きＵ字形状のばね部は、上記第１の立ち上げ部７の外側の下端部から外側に延在する水平腕部と、該水平腕部より上方に折り返されるように屈曲している半円弧部と、該半円弧部の端より上記接続用端子の中央側に折り返されて斜めに延在して上記第１の立ち上げ部７の上方に位置しており先端が自由端である接触片部とよりなり、
　上記立ち上げ部６、７は細長状の板材を打ち抜いて形成され、各立ち上げ部の幅は、上記接続部及び水平腕部の幅寸法より狭い構成とした接続用端子。」の発明。（以下、「引用発明２」という。）
　Ｄ）引用刊行物２には図１とともに「第二の半田付け部７を、接触部２の下方に、接触部２からある程度の間隔を置いて形成したので、接触部２が導電部１０によって上方から強く押されても、第二の半田付け部７がストッパーとなって、接触部２が必要以上に内方に撓んで、接続用端子が変形してしまうのを防止できる」（３頁左欄３３行ないし３８行）の記載があり、この記載によれば引用刊行物２には、接続用端子の立ち上げ部７の高さが、接触部が該立ち上げ部７の頂部に当たるまで押し下げられて横向きＵ字形状のばね部が撓んだ状態において、上記横向きＵ字形状のばね部に生ずる曲げ応力が許容応力を越えないように定める技術が開示されているものと認められる。
　Ｅ）図６の記載によれば、図６には立ち上げ部から接続部４にかけての部位をランドに半田付けして固定する技術が開示されているものと認められる。
　
４．対比・判断
（１）本件特許発明１について
　本件特許発明１と引用発明１Ａとを対比すると、両者は以下の点で一致ないし相違する。
　［一致点］
　ケースの内部に電話機本体組立体が組み込まれており、該電話機本体組立体が、電子部品が実装されているプリント基板と該電子部品を覆って該プリント基板に取り付けてあるシールドケースとよりなる構成の携帯電話機において、
　帯状の片が所定の形状に曲げられてなる複数のシールドばねが上記プリント基板上に上記電子部品が実装されている領域を取り囲むように分散して固定してあり、上記シールドケースが各シールドばねと接触している構成であり、
　上記シールドばねは、
　中央に位置しており自動実装装置の吸着ノズルによって吸着される中央平面部と、
　該中央平面部と続いて該中央平面部の両側に山形に形成してある２つ山形部と、
　各山形部の外側の端に続く２つのばね部とよりなり、
　各ばね部は、上記山形部の外側の下端部から外側に延在する水平腕部と、該水平腕部より上方に折り返されるように屈曲している屈曲部と、該屈曲部の端より上記シールドばねの中央側に折り返されて斜めに延在して上記山形部の上方に位置しており先端が自由端である接触片部とよりなる構成であり、
　上記シールドばねは、各状山形部の外側の部分から各ばね部の水平腕部にかけての部位を半田付けされて固定してある構成とした携帯電話機。
　　［相違点］
　ａ）山形部の形状が、本件特許発明１では逆Ｕ字形状であるの対して、引用発明１Ａでは逆Ｕ字形状であるか否か明確でない点。
　ｂ）ばね部の全体形状が、本件特許発明１では横向きＵ字形状であるの対して、引用発明１Ａでは略コ字形状である点。
　ｃ）ばね部の屈曲部を、本件特許発明１では半円弧部で構成しているのに対して、引用発明１Ａではベース２から上方へ略９０度折り曲げられた部分で構成している点。
　ｄ）山形部の幅に関して、本件特許発明１では中央平面部及び水平腕部の幅方向の端縁に対して切り欠かれた切り欠部を設け、各逆Ｕ字形状山形部の幅が、上記中央平面部及び水平腕部の幅寸法より狭い構成としているのに対して、引用発明１Ａでは山形部に切り欠部はなく、その幅は中央平面部及び水平腕部の幅寸法と同じあって狭い構成となっていない点。
　ｅ）半田付けによる固定に関して、本件特許発明１ではシールドばねが、各逆Ｕ字形状山形部の外側の部分から各Ｕ字形状のばね部の水平腕部にかけての部位を各ランドに半田フィレットによって半田付けされて固定されるのに対して、引用発明１Ａではシールドばねが半田付け面７によって固定されるものの、山形部の外側の部分からばね部の水平腕部にかけての部位を各ランドに半田フィレットによって半田付けされて固定されるか否か明確でない点。
　［当審の判断］
　そこで上記相違点について検討するに、引用刊行物２には、上記相違点ｄ）の「中央平面部及び水平腕部の幅方向の端縁に対して切り欠かれた切り欠部を設け、各逆Ｕ字形状山形部の幅が、上記中央平面部及び水平腕部の幅寸法より狭い構成」としている点の記載はなく、この点が周知・慣用といえる証拠もない。そして、この構成によって、本願特許明細書に記載された「【００３１】（３）シールドばね３５の半田付けの状態が正常でない場合には、先端が細い半田ごてを使用して修理を行う。各逆Ｕ字形状山形部３５ｂ，３５ｃは、切欠部３５ｆ，３５ｇ，３５ｈ，３５ｉを有する。逆Ｕ字形状山形部３５ｂ，３５ｃであること及び切欠部３５ｆ，３５ｇ，３５ｈ，３５ｉがあることによって、半田ごての先端がランド４０、４１に近づく通路が形成されており、半田ごての先端をシールドばね３５に接触させずにランド４０、４１に接触させることが可能となる。シールドばね３５は熱容量が大きいため、半田ごての先端がシールドばね３５に当たると熱がシールドばね３５に奪われてランド４０、４１を効率良く加熱することが出来ず、半田が溶けず、修理がしにくい。しかし、半田ごての先端がシールドばね３５に当たらないと、ランド４０、４１が効率良く加熱され半田が溶けて修理がし易い。」という作用効果を奏するものと認められるから、本件特許発明１は、他の相違点について検討するまでもなく、上記引用刊行物１、２に記載された発明に基いて当業者が容易に発明をすることができたものではない。
　
（２）本件特許発明２ないし４について
　本件特許発明２ないし４は、請求項１を引用する形式で記載された特許発明であって、本件特許発明１をさらに限定したものであるから、本件特許発明１と同様の理由により、引用発明１Ａに引用刊行物２に開示された発明又は技術を適用したとしても本件特許発明２ないし４を構成することはできない。
　したがって、本件特許発明２ないし４は、上記引用刊行物１、２に記載された発明に基いて当業者が容易に発明をすることができたものではない。
　
（３）本件特許発明５について
　本件特許発明５と引用発明２とを対比すると、本件特許発明５の「逆Ｕ字形状山形部」と引用発明２の「第１の立ち上げ部７」とは共に「半田付け部」である点で一致するから、両者は以下の点で一致ないし相違する。
　［一致点］
　・「平面部と、該平面部と続いて該平面部の一側に形成してある半田付け部と、該平面部と続いて該平面部の他側に形成してある立ち上げ部と、上記半田付け部の外側の端に続く一つの横向きＵ字形状のばね部とよりなり、該横向きＵ字形状のばね部は、上記半田付け部の外側の下端部から外側に延在する水平腕部と、該水平腕部より上方に折り返されるように屈曲している半円弧部と、該半円弧部の端より上記シールドばねの中央側に折り返されて斜めに延在して上記半田付け部の上方に位置しており先端が自由端である接触片部とよりなるシールドばね。」を備えている点。
　・「シールドばねは、半田付け部の外側から横向きＵ字形状のばね部の水平腕部にかけての部位を一のランドに半田付けされ、立ち上げ部から平面部からにかけての部位を別のランドに半田付けされて固定」する点。
　［相違点］
　ア）本件特許発明５は、ケースの内部に電話機本体組立体が組み込まれており、該電話機本体組立体が、電子部品が実装されているプリント基板と該電子部品を覆って該プリント基板に取り付けてあるシールドケースとよりなる構成の携帯電話機において、
　帯状の片が所定の形状に曲げられてなる複数のシールドばねが上記プリント基板上に上記電子部品が実装されている領域を取り囲むように分散して固定してあり、上記シールドケースが各シールドばねと接触している構成であるのに対して、引用発明２は、シールドばねが携帯電話に適用するものであるか否か明確でない点。
　イ）半田付け部に関して、本件特許発明５の半田付け部は、逆Ｕ字形状の山形に形成してある逆Ｕ字形状山形部であるの対して、引用発明２の半田付け部は、立ち上げ部である点。
　ウ）半田付け部の幅に関して、本件特許発明５では、平面部及び水平腕部の幅方向の端縁に対して切り欠かれた切り欠部を設け、各逆Ｕ字形状山形部の幅が、上記平面部及び水平腕部の幅寸法より狭い構成としているのに対して、引用発明２では、立ち上げ部７は細長状の板材を打ち抜いて形成され、各立ち上げ部の幅は、接続部４及び水平腕部の幅寸法より狭い構成となっているものの、平面部及び水平腕部の幅方向の端縁に対して切り欠かれた切り欠部を設け、各逆Ｕ字形状山形部の幅が、上記平面部及び水平腕部の幅寸法より狭い構成とはなっていない点。
　［当審の判断］
　そこで上記相違点について検討するに、引用刊行物２の図３を参酌すれば引用刊行物２には、本件特許発明５の各逆Ｕ字形状山形部に対応する「立ち上げ部７」の幅が接続部４（平面部）及び水平腕部の幅よりも狭いことは認められるものの、平面部及び水平腕部の幅方向の端縁に対して切り欠かれた切り欠部を設け、各逆Ｕ字形状山形部の幅が、上記平面部及び水平腕部の幅寸法より狭い構成としているものではなく、この構成について引用刊行物１に記載はないし周知・慣用といえる証拠もない。そして、この構成によって、本件特許明細書に記載された「【００３１】（３）シールドばね３５の半田付けの状態が正常でない場合には、先端が細い半田ごてを使用して修理を行う。各逆Ｕ字形状山形部３５ｂ，３５ｃは、切欠部３５ｆ，３５ｇ，３５ｈ，３５ｉを有する。逆Ｕ字形状山形部３５ｂ，３５ｃであること及び切欠部３５ｆ，３５ｇ，３５ｈ，３５ｉがあることによって、半田ごての先端がランド４０、４１に近づく通路が形成されており、半田ごての先端をシールドばね３５に接触させずにランド４０、４１に接触させることが可能となる。シールドばね３５は熱容量が大きいため、半田ごての先端がシールドばね３５に当たると熱がシールドばね３５に奪われてランド４０、４１を効率良く加熱することが出来ず、半田が溶けず、修理がしにくい。しかし、半田ごての先端がシールドばね３５に当たらないと、ランド４０、４１が効率良く加熱され半田が溶けて修理がし易い。」という作用効果を奏するものと認められるから、本件特許発明５は、他の相違点について検討するまでもなく、上記引用刊行物１、２に記載された発明に基いて当業者が容易に発明をすることができたものではない。
　
（４）本件特許発明６について
　本件特許発明６と引用発明１Ｂとを対比すると、両者は以下の点で一致ないし相違する。
　［一致点］
　「中央に位置しており自動実装装置の吸着ノズルによって吸着される中央平面部と、
　該中央平面部と続いて該中央平面部の両側に山形に形成してある２つの山形部と、
　各山形部の外側の端に続く２つのばね部とよりなり、
　各ばね部は、上記山形部の外側の下端部から外側に延在する水平腕部と、該水平腕部より上方に折り返されるように屈曲している屈曲部と、該屈曲部の端より上記シールドばねの中央側に折り返されて斜めに延在して上記山形部の上方に位置しており先端が自由端である接触片部とよりなる携帯電話機用シールドばね。」
　　［相違点］
　ａ）山形部の形状が、本件特許発明６では逆Ｕ字形状であるの対して、引用発明１Ｂでは逆Ｕ字形状であるか否か明確でない点。
　ｂ）ばね部の全体形状が、本件特許発明６では横向きＵ字形状であるの対して、引用発明１Ｂでは略コ字形状である点。
　ｃ）ばね部の屈曲部を、本件特許発明６では半円弧部を構成しているのに対して、引用発明１Ｂではベース２から上方へ略９０度折り曲げられた部分で構成している点。
　ｄ）山形部の幅に関して、本件特許発明６では中央平面部及び水平腕部の幅方向の端縁に対して切り欠かれた切り欠部を設け、各逆Ｕ字形状山形部の幅が、上記中央平面部及び水平腕部の幅寸法より狭い構成としているのに対して、引用発明１Ｂでは山形部に切り欠部はなく、その幅は中央平面部及び水平腕部の幅寸法と同じあって狭い構成となっていない点。
　［当審の判断］
　そこで上記相違点について検討するに、引用刊行物２には、上記相違点ｄ）の「中央平面部及び水平腕部の幅方向の端縁に対して切り欠かれた切り欠部を設け、各逆Ｕ字形状山形部の幅が、上記中央平面部及び水平腕部の幅寸法より狭い構成」としている点の記載はなく、この点が周知・慣用といえる証拠もない。そして、この構成によって、本願特許明細書に記載された「【００３１】（３）シールドばね３５の半田付けの状態が正常でない場合には、先端が細い半田ごてを使用して修理を行う。各逆Ｕ字形状山形部３５ｂ，３５ｃは、切欠部３５ｆ，３５ｇ，３５ｈ，３５ｉを有する。逆Ｕ字形状山形部３５ｂ，３５ｃであること及び切欠部３５ｆ，３５ｇ，３５ｈ，３５ｉがあることによって、半田ごての先端がランド４０、４１に近づく通路が形成されており、半田ごての先端をシールドばね３５に接触させずにランド４０、４１に接触させることが可能となる。シールドばね３５は熱容量が大きいため、半田ごての先端がシールドばね３５に当たると熱がシールドばね３５に奪われてランド４０、４１を効率良く加熱することが出来ず、半田が溶けず、修理がしにくい。しかし、半田ごての先端がシールドばね３５に当たらないと、ランド４０、４１が効率良く加熱され半田が溶けて修理がし易い。」という作用効果を奏するものと認められるから、本件特許発明６は、他の相違点について検討するまでもなく、上記引用刊行物１、２に記載された発明に基いて当業者が容易に発明をすることができたものではない。
　
（５）本件特許発明７について
　本件特許発明７と引用発明２とを対比すると、本件特許発明１の「逆Ｕ字形状山形部」と引用発明２の「第１の立ち上げ部７」とは共に「半田付け部」である点で一致するから、両者は以下の点で一致ないし相違する。
　［一致点］
「平面部と、
　該平面部と続いて該平面部の一側に形成してある半田付け部と、
　該平面部と続いて該平面部の他側に形成してある立ち上げ部と、
　該立ち上げ部の外側の端に続く一つの横向きＵ字形状のばね部とよりなり、
　該横向きＵ字形状のばね部は、上記半田付け部の外側の下端部から外側に延在する水平腕部と、該水平腕部より上方に折り返されるように屈曲している半円弧部と、該半円弧部の端より上記シールドばねの中央側に折り返されて斜めに延在して上記半田付け部の上方に位置しており先端が自由端である接触片部とよりなるシールドばね。」
［相違点］
　イ）半田付け部に関して、本件特許発明７の半田付け部は、逆Ｕ字形状の山形に形成してある逆Ｕ字形状山形部であるの対して、引用発明２の半田付け部は、立ち上げ部である点。
　ウ）半田付け部の幅に関して、本件特許発明７では、平面部及び水平腕部の幅方向の端縁に対して切り欠かれた切り欠部を設け、各逆Ｕ字形状山形部の幅が、上記平面部及び水平腕部の幅寸法より狭い構成としているのに対して、引用発明２では、立ち上げ部７は細長状の板材を打ち抜いて形成され、各立ち上げ部の幅は、接続部４及び水平腕部の幅寸法より狭い構成となっているものの、平面部及び水平腕部の幅方向の端縁に対して切り欠かれた切り欠部を設け、各逆Ｕ字形状山形部の幅が、上記平面部及び水平腕部の幅寸法より狭い構成とはなっていない点。
　エ）本件特許発明７のシールドばねは、携帯電話機用であるのに対して、引用発明２のシールドばねは、携帯電話機用であるか否か明確でない点。
　［当審の判断］
　そこで上記相違点について検討するに、引用刊行物２の図３を参酌すれば引用刊行物２には、本件特許発明５の各逆Ｕ字形状山形部に対応する「立ち上げ部７」の幅が接続部４（平面部）及び水平腕部の幅よりも狭いことは認められるものの、平面部及び水平腕部の幅方向の端縁に対して切り欠かれた切り欠部を設け、各逆Ｕ字形状山形部の幅が、上記平面部及び水平腕部の幅寸法より狭い構成としているものではなく、この構成について引用刊行物１に記載はないし周知・慣用といえる証拠もない。そして、この構成によって、本件特許明細書に記載された「【００３１】（３）シールドばね３５の半田付けの状態が正常でない場合には、先端が細い半田ごてを使用して修理を行う。各逆Ｕ字形状山形部３５ｂ，３５ｃは、切欠部３５ｆ，３５ｇ，３５ｈ，３５ｉを有する。逆Ｕ字形状山形部３５ｂ，３５ｃであること及び切欠部３５ｆ，３５ｇ，３５ｈ，３５ｉがあることによって、半田ごての先端がランド４０、４１に近づく通路が形成されており、半田ごての先端をシールドばね３５に接触させずにランド４０、４１に接触させることが可能となる。シールドばね３５は熱容量が大きいため、半田ごての先端がシールドばね３５に当たると熱がシールドばね３５に奪われてランド４０、４１を効率良く加熱することが出来ず、半田が溶けず、修理がしにくい。しかし、半田ごての先端がシールドばね３５に当たらないと、ランド４０、４１が効率良く加熱され半田が溶けて修理がし易い。」という作用効果を奏するものと認められるから、本件特許発明７は、他の相違点について検討するまでもなく、上記引用刊行物１、２に記載された発明に基いて当業者が容易に発明をすることができたものではない。
　５．まとめ
　したがって、本件特許発明１ないし７は、上記引用例１、２に記載された発明から当業者が容易に発明をすることができたものとすることはできない。
　
第４．むすび
　以上のとおりであるから、特許異議申立ての理由及び証拠によっては、特許第３４３５０２２号の請求項１ないし７に係る発明の特許を取り消すことはできない。
　また、他に本件発明についての特許を取り消すべき理由も発見しない。
　よって、結論のとおり決定する。
【異議決定日】
平成１６年８月２７日（２００４．８．２７）
【訂正の要旨】
審決（決定）の【理由】欄参照。
（５４）【発明の名称】
携帯電話機
（５７）【特許請求の範囲】
　【請求項１】　ケースの内部に電話機本体組立体が組み込まれており、該電話機本体組立体が、電子部品が実装されているプリント基板と該電子部品を覆って該プリント基板に取り付けてあるシールドケースとよりなる構成の携帯電話機において、
　帯状の片が所定の形状に曲げられてなる複数のシールドばねが上記プリント基板上に上記電子部品が実装されている領域を取り囲むように分散して固定してあり、上記シールドケースが各シールドばねと接触している構成であり、
　上記シールドばねは、
　中央に位置しており自動実装装置の吸着ノズルによって吸着される中央平面部と、
　該中央平面部と続いて該中央平面部の両側に
逆Ｕ字形状の
逆Ｕ字形状
　各
逆Ｕ字形状
　各横向きＵ字形状のばね部は、上記
逆Ｕ字形状
逆Ｕ字形状
　
上記中央平面部及び上記水平腕部の幅方向の端縁に対して切り欠かれた切り欠部を設け、各逆Ｕ字形状山形部の幅が、上記中央平面部及び水平腕部の幅寸法より狭い構成とし、
　上記プリント基板は、各シールドばね毎に２つのランドを有する構成であり、
　上記シールドばねは、各
逆Ｕ字形状
　【請求項２】　上記シールドばねは、その
逆Ｕ字形状
逆Ｕ字形状
　【請求項３】　上記シールドばねは、上記横向きＵ字形状のばね部の水平腕部のうち該
逆Ｕ字形状
　【請求項４】　上記シールドばねは、
　自動実装装置のＸチャックが当たる個所とＹチャックが当たる個所とを有する構成としたことを特徴とする
　【請求項５】　
ケースの内部に電話機本体組立体が組み込まれており、該電話機本体組立体が、電子部品が実装されているプリント基板と該電子部品を覆って該プリント基板に取り付けてあるシールドケースとよりなる構成の携帯電話機において、
　帯状の片が所定の形状に曲げられてなる複数のシールドばねが上記プリント基板上に上記電子部品が実装されている領域を取り囲むように分散して固定してあり、上記シールドケースが各シールドばねと接触している構成であり、
　上記シールドばねは、
　平面部と、
　該平面部と続いて該平面部の一側に逆Ｕ字形状の山形に形成してある逆Ｕ字形状山形部と、
　該平面部と続いて該平面部の他側に形成してある立ち上げ部と、
　逆Ｕ字形状山形部の外側の端に続く一つの横向きＵ字形状のばね部とよりなり、
　該横向きＵ字形状のばね部は、上記逆Ｕ字形状山形部の外側の下端部から外側に延在する水平腕部と、該水平腕部より上方に折り返されるように屈曲している半円弧部と、該半円弧部の端より上記シールドばねの中央側に折り返されて斜めに延在して上記逆Ｕ字形状山形部の上方に位置しており先端が自由端である接触片部とよりなる構成であり、
　上記平面部及び上記水平腕部の幅方向の端縁に対して切り欠かれた切り欠部を設け、各逆Ｕ字形状山形部の幅が、上記平面部及び水平腕部の幅寸法より狭い構成とし、
　上記プリント基板は、各シールドばね毎に２つのランドを有する構成であり、
　上記シールドばねは、逆Ｕ字形状山形部の外側から横向きＵ字形状のばね部の水平腕部にかけての部位を一のランドに半田付けされ、立ち上げ部から平面部からにかけての部位を別のランドに半田付けされて固定してある構成としたことを特徴とする
　【請求項６】　
中央に位置しており自動実装装置の吸着ノズルによって吸着される中央平面部と、
　該中央平面部と続いて該中央平面部の両側に逆Ｕ字形状の山形に形成してある２つの逆Ｕ字形状山形部と、
　各逆Ｕ字形状山形部の外側の端に続く２つの横向きＵ字形状のばね部とよりなり、
　各横向きＵ字形状のばね部は、上記逆Ｕ字形状山形部の外側の下端部から外側に延在する水平腕部と、該水平腕部より上方に折り返されるように屈曲している半円弧部と、該半円弧部の端より上記シールドばねの中央側に折り返されて斜めに延在して上記逆Ｕ字形状山形部の上方に位置しており先端が自由端である接触片部とよりなり、
　上記中央平面部及び上記水平腕部の幅方向の端縁に対して切り欠かれた切り欠部を設け、各逆Ｕ字形状山形部の幅が、上記中央平面部及び水平腕部の幅寸法より狭い構成としたことを特徴とする携帯電話機用シールドばね。
　【請求項７】　
平面部と、
　該面部と続いて該平面部の一側に逆Ｕ字形状の山形に形成してある逆Ｕ字形状山形部と、
　該平面部と続いて該平面部の他側に形成してある立ち上げ部と、
　逆Ｕ字形状山形部の外側の端に続く一つの横向きＵ字形状のばね部とよりなり、
　該横向きＵ字形状のばね部は、上記逆Ｕ字形状山形部の外側の下端部から外側に延在する水平腕部と、該水平腕部より上方に折り返されるように屈曲している半円弧部と、該半円弧部の端より上記シールドばねの中央側に折り返されて斜めに延在して上記逆Ｕ字形状山形部の上方に位置しており先端が自由端である接触片部とよりなり、
　上記平面部及び上記水平腕部の幅方向の端縁に対して切り欠かれた切り欠部を設け、各逆Ｕ字形状山形部の幅が、上記平面部及び水平腕部の幅寸法より狭い構成としたことを特徴とする
【発明の詳細な説明】
　【０００１】
　【発明の属する技術分野】
　本発明は携帯電話機に係り、特に、携帯電話機のシールド構造を構築する携帯電話機用シールドばねに関する。
　【０００２】
　【従来の技術】
　図１０（Ａ），（Ｂ）は、従来の携帯電話機のシールド構造を示す。１０はシールドばねであり、折り曲げられて断面がＵ字形とされた細長の形状の本体１０ａと、この本体１０ａより切り起こされて斜めに突き出ている複数のばね片１０ｂとよりなる。プリント基板１１には、その両辺に沿ってアースパターン１２が形成してあり、上面に、電子部品１３が実装してある。プリント基板１１の両辺にシールドばね１０が嵌合してあり、シールドケース１４が複数のばね片１０ｂと接触してプリント基板１１上に固定してあり、電子部品１３を覆っている。
　【０００３】
　【発明が解決しようとする課題】
　シールドばね１０は細長の形状を有するため、本体１０ａをプリント基板１１の縁に嵌合する作業を自動化することは困難であり、シールドばね１０をプリント基板１１に取り付ける作業は手作業で行っている。このため、組み立てに手間がかかり、組み立て工数がかかっていた。
　【０００４】
　また、上記形状のシールドばねはプリント基板の形状に合わせて設計されている。プリント基板の形状が複雑である場合には、一のプリント基板について、複数種類のシールドばねを用意する必要がある。また、携帯電話機の機種が異なるとプリント基板の形状も異なる。このため、複数の機種の携帯電話機を製造している製造メーカにあっては、シールドばねは複数種類用意する必要がある。シールドばねは複数種類用意するためにはシールドばねを成形する金型も複数準備する必要があり、結果として各シールドばねの製造コストが高くなっていた。
　【０００５】
　そこで、本発明は上記課題を解決した携帯電話機を提供することを目的とする。
　【０００６】
　【課題を解決するための手段】
　請求項１の発明は、ケースの内部に電話機本体組立体が組み込まれており、該電話機本体組立体が、電子部品が実装されているプリント基板と該電子部品を覆って該プリント基板に取り付けてあるシールドケースとよりなる構成の携帯電話機において、帯状の片が所定の形状に曲げられてなる複数のシールドばねが上記プリント基板上に上記電子部品が実装されている領域を取り囲むように分散して固定してあり、上記シールドケースが各シールドばねと接触している構成であり、上記シールドばねは、中央に位置しており自動実装装置の吸着ノズルによって吸着される中央平面部と、該中央平面部と続いて該中央平面部の両側に
逆Ｕ字形状の
逆Ｕ字形状
逆Ｕ字形状
逆Ｕ字形状
逆Ｕ字形状
上記中央平面部及び上記水平腕部の幅方向の端縁に対して切り欠かれた切り欠部を設け、各逆Ｕ字形状山形部の幅が、上記中央平面部及び水平腕部の幅寸法より狭い構成とし、
逆Ｕ字形状
　【０００７】
　【０００８】
　請求項２の発明は、請求項１において、
上記シールドばねは、その逆Ｕ字形状山形部の高さが、上記接触片部が該逆Ｕ字形状山形部の頂部に当たるまで押し下げられて上記横向きＵ字形状のばね部が撓んだ状態において、上記横向きＵ字形状のばね部に生ずる曲げ応力が許容応力を越えないように定めてある構成
上記シールドばねは、上記横向きＵ字形状のばね部の水平腕部のうち該逆Ｕ字形状山形部寄りの部分だけが上記ランドに半田付けされた構成
　【０００９】
　請求項４の発明は、請求項１において、シールドばねは、
自動実装装置のＸチャックが当たる個所とＹチャックが当たる個所とを有する構成としたものである。
ケースの内部に電話機本体組立体が組み込まれており、該電話機本体組立体が、電子部品が実装されているプリント基板と該電子部品を覆って該プリント基板に取り付けてあるシールドケースとよりなる構成の携帯電話機において、帯状の片が所定の形状に曲げられてなる複数のシールドばねが上記プリント基板上に上記電子部品が実装されている領域を取り囲むように分散して固定してあり、上記シールドケースが各シールドばねと接触している構成であり、上記シールドばねは、平面部と、該平面部と続いて該平面部の一側に逆Ｕ字形状の山形に形成してある逆Ｕ字形状山形部と、該平面部と続いて該平面部の他側に形成してある立ち上げ部と、逆Ｕ字形状山形部の外側の端に続く一つの横向きＵ字形状のばね部とよりなり、該横向きＵ字形状のばね部は、上記逆Ｕ字形状山形部の外側の下端部から外側に延在する水平腕部と、該水平腕部より上方に折り返されるように屈曲している半円弧部と、該半円弧部の端より上記シールドばねの中央側に折り返されて斜めに延在して上記逆Ｕ字形状山形部の上方に位置しており先端が自由端である接触片部とよりなる構成であり、上記平面部及び上記水平腕部の幅方向の端縁に対して切り欠かれた切り欠部を設け、各逆Ｕ字形状山形部の幅が、上記平面部及び水平腕部の幅寸法より狭い構成とし、上記プリント基板は、各シールドばね毎に２つのランドを有する構成であり、上記シールドばねは、逆Ｕ字形状山形部の外側から横向きＵ字形状のばね部の水平腕部にかけての部位を一のランドに半田付けされ、立ち上げ部から平面部からにかけての部位を別のランドに半田付けされて固定してある構成
　【００１０】
　請求項６の発明は、
中央に位置しており自動実装装置の吸着ノズルによって吸着される中央平面部と、該中央平面部と続いて該中央平面部の両側に逆Ｕ字形状の山形に形成してある２つの逆Ｕ字形状山形部と、各逆Ｕ字形状山形部の外側の端に続く２つの横向きＵ字形状のばね部とよりなり、各横向きＵ字形状のばね部は、上記逆Ｕ字形状山形部の外側の下端部から外側に延在する水平腕部と、該水平腕部より上方に折り返されるように屈曲している半円弧部と、該半円弧部の端より上記シールドばねの中央側に折り返されて斜めに延在して上記逆Ｕ字形状山形部の上方に位置しており先端が自由端である接触片部とよりなり、上記中央平面部及び上記水平腕部の幅方向の端縁に対して切り欠かれた切り欠部を設け、各逆Ｕ字形状山形部の幅が、上記中央平面部及び水平腕部の幅寸法より狭い構成
　【００１１】
　請求項７の発明は、
平面部と、該平面部と続いて該平面部の一側に逆Ｕ字形状の山形に形成してある逆Ｕ字形状山形部と、該平面部と続いて該平面部の他側に形成してある立ち上げ部と、逆Ｕ字形状山形部の外側の端に続く一つの横向きＵ字形状のばね部とよりなり、該横向きＵ字形状のばね部は、上記逆Ｕ字形状山形部の外側の下端部から外側に延在する水平腕部と、該水平腕部より上方に折り返されるように屈曲している半円弧部と、該半円弧部の端より上記シールドばねの中央側に折り返されて斜めに延在して上記逆Ｕ字形状山形部の上方に位置しており先端が自由端である接触片部とよりなり、上記平面部及び上記水平腕部の幅方向の端縁に対して切り欠かれた切り欠部を設け、各逆Ｕ字形状山形部の幅が、上記平面部及び水平腕部の幅寸法より狭い構成
　【００１２】
　【００１３】
　【発明の実施の形態】
　図１に示すように、本発明の一実施例になる携帯電話機２０は、電話機本体組立体２１が、組み合わされたフロントケース２２とリアケース２３との内部に組み込まれた構成である。電話機本体組立体２１は、図２に併せて示すように、大略、プリント基板３０と、フロントシールドケース３１と、リアシールドケース３２とよりなる。フロントシールドケース３１及びリアシールドケース３２は、共に、合成樹脂製の成形部品に金属メッキが施された部品である。図１に示すように、プリント基板３０の上面３０ａには、電子部品３３−１，３３−２が実装してあり、且つ、電子部品３３−１，３３−２が実装してある領域３４を取り囲むように、４つのシールドばね３５が分散して固定ある。フロントシールドケース３１は、図３（Ａ），（Ｂ）に併せて示すように、領域３４上に、電子部品３３−１，３３−２を覆って、且つ凹部３１ａが各シールドばね３５と嵌合しこの凹部３１ａの天井面３１ａ１がシールドばね３５と接触して、プリント基板３０に取り付けてある。接触片部３５ｄ３，３５ｅ３は逆Ｕ字形状山形部３５ｂ，３５ｃには当たっていない。図２に示すように、プリント基板３０の下面３０ｂには、電子部品３３−３，３３−４が実装してあり、且つ、電子部品３３−３，３３−４が実装してある領域３６を取り囲むように、４つのシールドばね３５が分散して固定ある。リアシールドケース３２は、領域３６上に、電子部品３３−３，３３−４を覆って且つ各シールドばね３５と接触して、プリント基板３０に取り付けてある。これによって、電子部品３３−１〜３３−４はシールドされており、電子部品３３−１〜３３−４から発生した電磁波が携帯電話機２０の外側に漏洩することが制限される。
　【００１４】
　なお、電子部品３３−１〜３３−４からは例えば周波数が８００ＭＨｚの電磁波が発生する。８００ＭＨｚの電磁波の波長は３７．５ｃｍである。各シールドケース３１、３２の周囲に沿う隣合うシールドばね３５の間の距離は約３ｃｍであり、これは８００ＭＨｚの電磁波の波長の約１／１０である。この条件でも、外部に漏洩する電磁波は６０ｄＢも減衰される、即ち、十分に減衰され、問題はない。
　【００１５】
　シールドばね３５は後述するように自動実装装置が適用される寸法形状を有し、電子部品３３−１〜３３−４ともに自動実装してある。よって、シールドばね３５の取付けに要する工数は、手作業で組み立ていた従来に比べて格段に少ない。また、プリント基板の形状が異なっても同じシールドばね３５を使用可能である。即ち、シールドばね３５は汎用性を有する。よって、複数の機種の携帯電話機を製造している製造メーカでも、一種類のシールドばね３５を用意するだけで済み、シールドばねを成形する金型も一つで済み、携帯電話機２０の製造コストは従来のものに比べて安価である。
　【００１６】
　次に、シールドばね３５について、図４乃至図７を併せ参照して説明する。シールドばね３５は、機能的にみると、自動実装装置の吸着ノズルによって安定に吸着され、Ｕ字形状のばね部がへたったり折れたりすることが起きず、強度的に信頼性良く半田付けされ、位置精度良く半田付けされ、シールドの信頼性を向上させ、半田ごてによる修理がし易いようになっている。
　【００１７】
　シールドばね３５は、Ｙ軸を中心に左右対称の形状、及び、Ｘ軸を中心に左右対称の形状を有する。シールドばね３５は、幅がｗ１でありＸ１，Ｘ２方向に長い所定形状のりん青銅製のブランケットを折り曲げて形成したものであり、中央に位置しており自動実装装置の吸着ノズルによって吸着される中央平面部３５ａと、中央平面部３５ａに続いてこのＸ１及びＸ２側に夫々１つづつ存在する２つの逆Ｕ字形状山形部３５ｂ，３５ｃと、各逆Ｕ字形状山形部３５ｂ，３５ｃの外側の端に続く横向きＵ字形状のばね部３５ｄ，３５ｅとよりなる。
　【００１８】
　各逆Ｕ字形状山形部３５ｂ，３５ｃは、内側（中央平面部３５ａ寄り側）の垂直部３５ｂ１，３５ｃ１と、外側（中央平面部３５ａから離れている側）の垂直部３５ｂ２，３５ｃ２と、内側の垂直部３５ｂ１，３５ｃ１と外側の垂直部３５ｂ２，３５ｃ２の頂部間を連結する連結部３５ｂ３，３５ｃ３とによって形成されている。
　【００１９】
　各横向きＵ字形状のばね部３５ｄ，３５ｅは、上記の逆Ｕ字形状山形部３５ｂ，３５ｃの外側の垂直部３５ｂ２，３５ｃ２の下端部から外側に延在する水平腕部３５ｄ１，３５ｅ１と、この水平腕部３５ｄ１，３５ｅ１より上方（Ｚ１方向）に折り返されるように屈曲している半円弧部３５ｄ２，３５ｅ２と、この半円弧部３５ｄ２，３５ｅ２の端よりシールドばね３５の中央側に折り返されて斜めに延在して上記逆Ｕ字形状山形部３５ｂ，３５ｃの上方を覆っており先端が自由端である接触片部３５ｄ３，３５ｅ３とによって形成されている。接触片部３５ｄ３，３５ｅ３の先端は、逆Ｕ字形状山形部３５ｂ，３５ｃの上方を越えた位置にあり、Ｚ１方向（上方）から見たときに、接触片部３５ｄ３，３５ｅ３の先端の間に、中央平面部３５ａが見える。
　【００２０】
　各逆Ｕ字形状山形部３５ｂ，３５ｃは、高さｈ１を有する。この高さｈ１は、図５（Ａ）に示すように、横向きＵ字形状のばね部３５ｄ，３５ｅを撓ませて接触片部３５ｄ３，３５ｅ３を逆Ｕ字形状山形部３５ｂ，３５ｃに当たるまで押し付けた場合に、横向きＵ字形状のばね部３５ｄ，３５ｅに生ずる曲げ応力が許容応力を越えず、且つ、図３（Ａ）に示すように、接触片部３５ｄ３，３５ｅ３が取付けられたフロントシールドケース３１によって押し下げられた場合に逆Ｕ字形状山形部３５ｂ，３５ｃに当たらないように定めてある。
　【００２１】
　各逆Ｕ字形状山形部３５ｂ，３５ｃは、他の部分より狭い幅ｗ２を有する。即ち、各逆Ｕ字形状山形部３５ｂ，３５ｃの部分は、そのＹ１，Ｙ２方向側に、中央平面部３５ａ及び水平腕部３５ｄ１，３５ｅ１のＹ１，Ｙ２方向の端縁に対して切り欠かれた切欠部３５ｆ，３５ｇ，３５ｈ，３５ｉを有する。また、シールドばね３５は、自動実装装置のＸチャックが当たる個所３５ｊ，３５ｋと、Ｙチャックが当たる個所３５ｌ，３５ｍとを有する。Ｘチャックが当たる個所３５ｊ，３５ｋは、各横向きＵ字形状のばね部３５ｄ，３５ｅの半円弧部３５ｄ２，３５ｅ２の外側面である。Ｙチャックが当たる個所３５ｌ，３５ｍは、中央平面部３５ａのＹ１，Ｙ２方向の端縁である。
　【００２２】
　このシールドばね３５は、りん青銅製であり、ニッケルメッキが施されており、ばね部３５ｄ，３５ｅの接触片部３５ｄ３，３５ｅ３の先端の部分には金メッキが施されている。りん青銅に代えて、ベリリウム銅でもよい。プリント基板３０は、機能的にみると、シールドばね３５が位置精度良く半田付けされ、且つ、Ｕ字形状のばね部の特性を損なわない構成としてある。
　【００２３】
　プリント基板３０には、シールドばね３５が固定される部位毎に、２つのランド４０、４１が形成してある。２つのランド４０、４１は、各ランド４０、４１の中心の間の距離Ｌ１が、上記のシールドばね３５の２つの逆Ｕ字形状山形部３５ｂ，３５ｃの外側の垂直部３５ｂ２，３５ｃ２の間の寸法Ｌ２と等しい。各ランド４０、４１は、プリント基板３０の内層のグランド層４２と電気的に接続してある。
　【００２４】
　図６及び図７（Ａ），（Ｂ）に示すように、シールドばね３５は、各逆Ｕ字形状山形部３５ｂ，３５ｃの外側の垂直部３５ｂ２，３５ｃ２から各横向きＵ字形状のばね部３５ｄ，３５ｅの水平腕部３５ｄ１，３５ｅ１にかけての部位を対応する各ランド４０、４１に半田フィレット４５、４６により半田付けされて固定してある。
　【００２５】
　次に、シールドばね３５及びプリント基板３０の特徴について説明する。
（Ａ）シールドばね３５の実装の過程に関する特徴（１）シールドばね３５は、テープに並んで形成されている凹部内に１つづつ収まっている。図８の自動実装装置５０が、電子部品３３−１，３３−２をプリント基板３０上に搭載し、且つ、リールから引き出されたテープの凹部よりシールドばね３５を吸着し、運搬して、プリント基板３０（各ランド４０、４１にはクリーム半田が塗布されている）のランド４０、４１の位置に押しつけて軽く接着させて搭載する。この後、プリント基板３０がリフロー炉を通されて、電子部品３３−１，３３−２及びシールドばね３５が半田付けされて固定される。
　【００２６】
　自動実装装置５０の吸着ノズル５１が、図５（Ａ）に二点鎖線で示すように、接触片部３５ｄ３，３５ｅ３の間に入り、中央平面部３５ａを吸着して運搬する。シールドばね３５は、図５（Ａ）に示すように、Ｘ１側に横向きＵ字形状のばね部３５ｄを有し、Ｘ２側に横向きＵ字形状のばね部３５ｅを有して、中央平面部３５ａに関してＸ１、Ｘ２方向上対称な形状を有する。よって、吸着ノズル５１がシールドばね３５を吸着した状態において、シールドばね３５の吸着位置に関するＸ１、Ｘ２側の重さが同じくなってバランスした状態にあり、よって、シールドばね３５は安定に吸着され、途中で吸着が外れる事故はその分発生しにくい。
　【００２７】
　（２）吸着ノズル５１がシールドばね３５を吸着した状態で、図５（Ｂ）に示すように、各横向きＵ字形状のばね部３５ｄ，３５ｅの半円弧部３５ｄ２，３５ｅ２の外側面の個所３５ｊ，３５ｋを自動実装装置５０のＸチャック５２により軽く挟まれ、且つ、中央平面部３５ａのＹ１，Ｙ２方向の端縁の個所３５ｌ，３５ｍをＹチャック５３により軽く挟まれて、シールドばね３５は、吸着ノズル５１に対する位置及び向きを精度良く決められる。よって、シールドばね３５は、位置精度良く、即ち各横向きＵ字形状のばね部３５ｄ，３５ｅの水平腕部３５ｄ１，３５ｅ１の内側寄りの部分がランド４０、４１の半分の部分に載った状態で搭載される。なお、中央平面部３５ａはランド４０、４１から離れている。
　【００２８】
　（３）リフロー炉を通されランド４０、４１上のクリーム半田が溶けて、図６及び図７（Ａ）に示すように、半田が各逆Ｕ字形状山形部３５ｂ，３５ｃの外側の垂直部３５ｂ２，３５ｃ２の内面に沿って上がり、半田フィレット４５、４６が形成される。しかも、半田フィレット４５、４６が形成される条件は同じである。よって溶けている半田の表面張力によって、シールドばね３５はセルフアライメントされる。よって、シールドばね３５は位置精度良く固定される。よって、フロントシールドケース３１を取り付けるときに、フロントシールドケース３１の各凹部３１ａがシールドばね３５と正常に嵌合し、フロントシールドケース３１は正常に取付けられる。
　【００２９】
　（Ｂ）シールドばね３５を実装した状態に関する特徴（１）シールドばね３５は各逆Ｕ字形状山形部３５ｂ，３５ｃの外側の垂直部３５ｂ２，３５ｃ２の内面に沿って形成された半田フィレット４５、４６によって二個所を半田付けされている。よって、半田付けの信頼性が高くなり、シールドばね３５は機械的強度が高い状態で固定される。
　【００３０】
　（２）作業者が不注意で接触片部３５ｄ３，３５ｅ３を強く押し付けた場合でも、接触片部３５ｄ３，３５ｅ３は、図７（Ａ）中、二点鎖線で示すように、逆Ｕ字形状山形部３５ｂ，３５ｃによって受け止められ、逆Ｕ字形状山形部３５ｂ，３５ｃに当たるとそれ以上は下方（Ｚ２方向）には変位しない。ここで、逆Ｕ字形状山形部３５ｂ，３５ｃは、高さｈ１は、上記のように接触片部３５ｄ３，３５ｅ３を逆Ｕ字形状山形部３５ｂ，３５ｃに当たるまで押し付けた場合に、横向きＵ字形状のばね部３５ｄ，３５ｅに生ずる曲げ応力が許容応力を越えないように定めてある。よって、作業者が不注意で接触片部３５ｄ３，３５ｅ３を強く押し付けた場合でも、横向きＵ字形状のばね部３５ｄ，３５ｅがへたってしまうことが確実に防止される。これが、逆Ｕ字形状山形部３５ｂ，３５ｃによって得られる効果のうちの最大の効果である。
　【００３１】
　（３）シールドばね３５の半田付けの状態が正常でない場合には、先端が細い半田ごてを使用して修理を行う。各逆Ｕ字形状山形部３５ｂ，３５ｃは、切欠部３５ｆ，３５ｇ，３５ｈ，３５ｉを有する。逆Ｕ字形状山形部３５ｂ，３５ｃであること及び切欠部３５ｆ，３５ｇ，３５ｈ，３５ｉがあることによって、半田ごての先端がランド４０、４１に近づく通路が形成されており、半田ごての先端をシールドばね３５に接触させずにランド４０、４１に接触させることが可能となる。シールドばね３５は熱容量が大きいため、半田ごての先端がシールドばね３５に当たると熱がシールドばね３５に奪われてランド４０、４１を効率良く加熱することが出来ず、半田が溶けず、修理がしにくい。しかし、半田ごての先端がシールドばね３５に当たらないと、ランド４０、４１が効率良く加熱され半田が溶けて修理がし易い。
　【００３２】
　（Ｃ）フロントシールドケース３１を取り付けた状態に関する特徴（１）フロントシールドケース３１には、プリント基板３０上のシールドばね３５の配置に対応する凹部３１ａが形成してある。フロントシールドケース３１がプリント基板３０上に取り付けられた状態で、図３（Ａ）に示すように、フロントシールドケース３１の凹部３１ａがシールドばね３５と嵌合しており、凹部３１ａの天井面３１ａ１が二つの接触片部３５ｄ３，３５ｅ３を少し押し下げており、横向きＵ字形状のばね部３５ｄ，３５ｅにばね力が蓄勢される。よって、各シールドばね３５について、二つの接触片部３５ｄ３，３５ｅ３が凹部３１ａの天井面３１ａ１に押し当たっている。このように、一つのシールドばね３５について、フロントシールドケース３１への接触する個所が２個所あり、接触する個所が１個所である場合に比べて、シールドについて高い信頼性を有する。
　【００３３】
　なお、フロントシールドケース３１接触片部３５ｄ３，３５ｅ３の先端の変位寸法は、接触片部３５ｄ３，３５ｅ３（２）水平腕部３５ｄ１，３５ｅ１のうち内側寄りの部分だけがランド４０、４１に半田付けしてあり、水平腕部３５ｄ１，３５ｅ１のうち外側寄りの部分３５ｄ１ａ，３５ｅ１ａは半田付けされていず、撓み得る状態にあり、ばねとして機能する。よって、接触片部３５ｄ３，３５ｅ３を押し付けた場合に、接触片部３５ｄ３，３５ｅ３及び半円弧部３５ｄ２，３５ｅ２に加えて水平腕部３５ｄ１，３５ｅ１のうち外側寄りの部分３５ｄ１ａ，３５ｅ１ａも撓む。即ち、撓む部分が広い範囲に亘る。よって、曲げ応力の集中が起きず、よって、ばねが折れてしまう事故が起きない。
　【００３４】
　なお、フロントシールドケース３１が取付けられた状態における接触片部３５ｄ３，３５ｅ３の先端の変位寸法は、接触片部３５ｄ３，３５ｅ３を逆Ｕ字形状山形部３５ｂ，３５ｃに当たるまで押し下げたときの変位寸法の約８０％である。次に、シールドばねの変形例について、図９（Ａ），（Ｂ）を参照して説明する。
　【００３５】
　シールドばね３５Ａは、図４に示すシールドばね３５のうち中央平面部３５ａとＸ１側の逆Ｕ字形状山形部３５ｂとの間で切断して、逆Ｕ字形状山形部３５ｂと横向きＵ字形状のばね部３５ｄとを除去した構成であり、平面部３５Ａａと、平面部３５Ａａと続いて平面部３５Ａａの一側に形成してある逆Ｕ字形状山形部３５Ａｃと、平面部３５Ａａと続いて平面部３５Ａａの他側に形成してある立ち上げ部３５Ａｎと、山形部３５Ａｃの外側の端に続く一つの横向きＵ字形状のばね部３５Ａｅとよりなる。横向きＵ字形状のばね部３５Ａｅは、山形部３５Ａｃの外側の下端部から外側に延在する水平腕部３５Ａｅ１と、水平腕部３５Ａｅ１より上方に折り返されるように屈曲している半円弧部３５Ａｅ２と、半円弧部３５Ａｅ２の端よりシールドばねの中央側に折り返されて斜めに延在して上記山形部３５Ａｃの上方に位置しており先端が自由端である接触片部３５Ａｅ３とよりなる構成である。
　【００３６】
　図９（Ｂ）に示すように、シールドばね３５Ａは、山形部３５Ａｃの外側から横向きＵ字形状のばね部３５Ａｅの水平腕部３５Ａｅ１にかけての部位を一のランド４１に半田フィレット４５によって半田付けされ、立ち上げ部３５Ａｎから平面部３５Ａａにかけての部位を別のランド４０に半田フィレット４６によって半田付けされて固定してある。
　【００３７】
　逆Ｕ字形状山形部３５ｂ、３５ｃに代えて、半円弧のアーチ形状、三角形状等の山形でもよい。
　【００３８】
　【発明の効果】
　以上説明したように、請求項１の発明によれば、帯状の片が所定の形状に曲げられてなる複数のシールドばねがプリント基板上に上記電子部品が実装されている領域を取り囲むように分散して固定してあり、シールドケースが電子部品を覆って各シールドばねと接触している構成であり、シールドばねは、中央に、自動実装装置の吸着ノズルによって吸着される中央平面部を有し、横向きＵ字形状のばね部を有する形状であるため、シールドばねをバランス良く吸着出来て自動実装装置によって安定に実装出来、よって、シールドばねの取付けに要する工数を、手作業で組み立ていた従来に比べて格段に少なく出来、また、プリント基板の形状が異なっても同じシールドばねを使用可能であり、よって、複数の機種の携帯電話機を製造している製造メーカでも、一種類のシールドばねを用意するだけで済み、シールドばねを成形する金型も一つで済み、携帯電話機の製造コストを従来のものに比べて安価に出来る。また、シールドばねは、中央平面部の両側の
逆Ｕ字形状
　【００３９】
　【００４０】
　請求項２の発明によれば、
逆Ｕ字形状
逆Ｕ字形状
　【００４１】
　請求項３の発明によれば、横向きＵ字形状のばね部の水平腕部のうち
逆Ｕ字形状
逆Ｕ字形状
請求項１
逆Ｕ字形状
　【００４２】
　請求項
４
５
　【００４３】
　請求項
６
逆Ｕ字形状
逆Ｕ字形状
逆Ｕ字形状
逆Ｕ字形状
逆Ｕ字形状
　【００４４】
　請求項
７
逆Ｕ字形状
逆Ｕ字形状
逆Ｕ字形状
逆Ｕ字形状
【図面の簡単な説明】
　【図１】
　本発明の一実施例になる携帯電話機の分解斜視図である。
　【図２】
　図１中、電話機本体組立体を下方から見上げたときの状態を示す図である。
　【図３】
　フロントシールドケースが取付けられている状態を示す図である。
　【図４】
　シールドばねをプリント基板と対応させて示す図である。
　【図５】
　シールドばねを示す図である。
　【図６】
　シールドばねがプリント基板上に半田付けされた状態を示す図である。
　【図７】
　シールドばねがプリント基板上に半田付けされた状態を示す図である。
　【図８】
　シールドばねを自動実装する自動実装装置を示す図である。
　【図９】
　シールドばねの別の実施例を示す図である。
　【図１０】
　従来の携帯電話機の一部を示す図である。
　【符号の説明】
　２０　携帯電話機
　２１　電話機本体組立体
　２２　フロントケース
　２３　リアケース
　３０　プリント基板
　３１　フロントシールドケース
　３１ａ　凹部
　３１ａ１　天井
　３２　リアシールドケース
　３３−１〜３３−４　電子部品
　３５，３５Ａ　シールドばね
　３５ａ　中央平面部
　３５Ａａ　平面部
　３５ｂ，３５ｃ，３５Ａｂ　逆Ｕ字形状山形部
　３５ｂ１，３５ｃ１　内側（中央平面部３５ａ寄り側）の垂直部
　３５ｂ２，３５ｃ２　外側（中央平面部３５ａから離れている側）の垂直部
　３５ｂ３，３５ｃ３　連結部
　３５ｄ，３５ｅ，３５Ａｄ　横向きＵ字形状のばね部
　３５ｄ１，３５ｅ１　水平腕部
　３５ｄ２，３５ｅ２　半円弧部
　３５ｄ３，３５ｅ３　接触片部
　３５ｆ〜３５ｉ　切欠部
　３５ｊ，３５ｋ　Ｘチャックが当たる個所
　３５ｌ，３５ｍ　Ｙチャックが当たる個所
　３５Ａｎ　立ち上げ部
　４０、４１　ランド
　４２　グランド層
　４５、４６　半田フィレット
　５０　自動実装装置
　５１　吸着ノズル
　５２　Ｘチャック
　５３　Ｙチャック